(57)【要約】【課題】各バッテリがアノード（３１２）とカソード（３１０）とを含む複数のバッテリ（２３０）を充電するための方法を提供する。【解決手段】この方法は、ｎ個のバッテリを電気的に結合して、バッテリのつながりを形成する段階と、ｎ個のバッテリ充電器アセンブリ（２２０）をｎ個のバッテリに電気的に結合する段階であって、それぞれのバッテリ充電器アセンブリがそれぞれのバッテリのアノードとカソードに結合されるように結合する段階と、ｎ個のバッテリ充電器アセンブリを利用して、複数のバッテリを充電する段階とを含む。【選択図】図４
2007116892.tif 000002
【特許請求の範囲】
【請求項１】
第１のバッテリ（２３０）と並列に結合される第１のバッテリ充電器アセンブリ（２２０）と、
第２のバッテリと並列に結合される第２のバッテリ充電器アセンブリとを含み、前記第１および第２のバッテリが、電気的に結合されて、バッテリのつながりを形成する、バッテリ充電システム（２００）。
【請求項２】
ｎ＝３個のバッテリ充電器アセンブリをさらに含み、その各々が、それぞれのバッテリ（２３０）に並列に電気的に結合される、請求項１記載のバッテリ充電システム（２００）。
【請求項３】
前記第１および第２のバッテリ（２３０）が、直列に結合されて、バッテリの直列つながりを形成する、請求項１記載のバッテリ充電システム（２００）。
【請求項４】
前記第１および第２のバッテリ充電器アセンブリ（２２０）が各々、
マイクロプロセッサ（２０４）と、
前記マイクロプロセッサ内に保存されるバッテリ（２３０）充電プロフィールとを含み、前記第１および第２のバッテリ充電器アセンブリが、それぞれのバッテリ充電プロフィールに従って、前記第１および第２のバッテリを充電するように構成される、請求項１記載のバッテリ充電システム（２００）。
【請求項５】
前記第１および第２のバッテリ充電器アセンブリが各々、
電力入力ステージ（２５０）と、
電力整流ステージ（２５２）であって、第１のシリコン制御整流器（２７０）と、第２のシリコン制御整流器（２７２）とを含み、その各々が、前記電力入力ステージに電気的に結合される電力整流ステージ（２５２）とを含む、請求項１記載のバッテリ充電システム（２００）。
【請求項６】
前記第１および第２のバッテリ充電器アセンブリ（２２０）が各々、電力出力測定ステージ（２５４）であって、前記第１および第２のシリコン制御整流器（２７０、２７２）に電気的に結合され、前記電力入力ステージ（２５０）から前記第１および第２のバッテリ（２３０）に電流を流すために、前記第１および第２のシリコン制御整流器を動作させるように構成される電力出力測定ステージ（２５４）をさらに含む、請求項５記載のバッテリ充電システム（２００）。
【請求項７】
前記第１および第２のバッテリ充電器アセンブリ（２２０）が各々、前記第１および第２のバッテリ（２３０）が所定の限界内で動作しているかどうかを決定するためのバッテリ試験ステージ（２５６）をさらに含む、請求項５記載のバッテリ充電システム（２００）。
【請求項８】
前記第１および第２のバッテリ充電器アセンブリ（２２０）から外部ユーザへのデータ送信を容易にするため、前記第１および第２のバッテリ充電器アセンブリと前記外部ユーザの間を結合する通信リンク（２２２）をさらに含む、請求項１記載のバッテリ充電システム（２００）。
【請求項９】
少なくとも１つのピッチモータに動作可能に結合される少なくとも１つのブレード（１０８）を有するロータと、
バッテリ充電システム（２００）であって、
第１のバッテリ（２３０）と並列に結合される第１のバッテリ充電器アセンブリ（２２０）と、
第２のバッテリと並列に結合される第２のバッテリ充電器アセンブリとを含み、前記第１および第２のバッテリが、電気的に結合されて、前記ピッチモータに結合されるバッテリのつながりを形成するバッテリ充電システム（２００）とを含む、風力タービン（１００）。
【請求項１０】
前記バッテリ充電システム（２００）が、ｎ＝３個のバッテリ充電器アセンブリ（２２０）をさらに含み、その各々が、それぞれのバッテリ（２３０）に並列に電気的に結合される、請求項９記載の風力タービン（１００）。
【発明の詳細な説明】
【技術分野】
【０００１】
本発明は、一般に、バッテリ充電に関し、より具体的には、バッテリを充電するため、およびバッテリ寿命を延長するための方法およびシステムに関する。
【背景技術】
【０００２】
少なくともいくつかの知られたバッテリは、そのバッテリが接続されるシステムが利用し得る電圧を容易に増やすため、直列または並列つなぎ配列で電気的に結合される。そのようなバッテリのつながりへの充電を容易にするため、少なくとも１つの知られたシステムは、通常は電圧が一定の電圧源充電器を利用する。しかし、鉛酸バッテリへの過充電は、バッテリを損傷し、かつ／またはバッテリの有効動作寿命を短くすることがあり、一方、バッテリへの過少充電は、バッテリがシステムにおいて利用され得る時間を短くする。さらに、直列または並列配列に互いに結合された複数のバッテリに単一の知られた充電システムを結合することで、充電電力をバッテリのつながりにわたって等しく平衡させることが容易になるが、充電システムは、バッテリのつながりの中の各個別バッテリを効果的に充電しない。
【特許文献１】米国特許第４，００６，３９７号公報
【特許文献２】米国特許第４，０１６，４７４号公報
【特許文献３】米国特許第４，０５２，６５６号公報
【特許文献４】米国特許第４，６４５，９９５号公報
【特許文献５】米国特許第５，５２３，６６８号公報
【特許文献６】米国特許第５，６２９，６０１号公報
【特許文献７】米国特許第５，６５９，２３７号公報
【特許文献８】米国特許第６，４５２，３６３−Ｂ１号公報
【特許文献９】米国特許第６，４８９，７５３−Ｂ１号公報
【特許文献１０】米国特許第６，６６４，７６２−Ｂ２号公報
【特許文献１１】米国特許第６，８４１，９７１−Ｂ１号公報
【特許文献１２】米国特許出願第２００３／０２３６６０１−Ａ１号公報
【発明の開示】
【発明が解決しようとする課題】
【０００３】
したがって、バッテリのつながりの中の少なくともいくつかのバッテリ、またはバッテリのつながりの中の個別バッテリ内の少なくともいくつかのセルは、過充電されることがあり、一方、他のバッテリ、または個別バッテリ内の他のセルは、過少充電される。
【課題を解決するための手段】
【０００４】
一態様では、複数のバッテリを充電するための方法が提供される。この方法は、ｎ個のバッテリを電気的に結合して、バッテリのつながりを形成する段階と、ｎ個のバッテリ充電器アセンブリをｎ個のバッテリに電気的に結合する段階であって、それぞれのバッテリ充電器アセンブリがそれぞれのバッテリのアノードとカソードに結合されるように結合する段階と、ｎ個のバッテリ充電器アセンブリを利用して、複数のバッテリを充電する段階とを含む。
【０００５】
別の態様では、バッテリ充電システムが提供される。バッテリ充電システムは、第１のバッテリと並列に結合される第１のバッテリ充電器アセンブリと、第２のバッテリと並列に結合される第２のバッテリ充電器アセンブリとを含み、第１および第２のバッテリは、電気的に結合されて、バッテリのつながりを形成する。
【０００６】
さらなる態様では、風力タービンが提供される。風力タービンは、少なくとも１つのピッチモータに動作可能に結合される少なくとも１つのブレードを有するロータと、バッテリ充電システムとを含む。バッテリ充電システムは、第１のバッテリと並列に結合される第１のバッテリ充電器アセンブリと、第２のバッテリと並列に結合される第２のバッテリ充電器アセンブリとを含み、第１および第２のバッテリは、電気的に結合されて、ピッチモータに結合されるバッテリのつながりを形成する。
【発明を実施するための最良の形態】
【０００７】
図１は、発電機（図１には図示されない）を収容するナセル１０２を含む、例示的な風力タービン１００の斜視図である。ナセル１０２は、図１にはその一部分のみが示されている高いタワー１０４の頂上に載せられる。風力タービン１００はまた、回転ハブ１１０に取り付けられた複数のロータブレード１０８を含むロータアセンブリ１０６も含む。図１に示される風力タービン１００は、３枚のロータブレード１０８を含むが、本発明によって必要とされるロータブレード１０８の枚数に関して、具体的な制限は存在しない。
【０００８】
図２を参照すると、いくつかの構成では、様々な構成要素が、風力タービン１００のタワー１０４の頂上のナセル１０２内に収容される。タワー１０４の高さは、当技術分野で知られた要因および条件に基づいて選択される。例示的な実施形態では、風力タービン１００は、制御システム１１２を含み、制御システム１１２は、ピッチおよび速度調整、高速シャフトおよびヨーブレーキ適用、ヨーおよびポンプモータ適用、ならびに障害監視を含む、全体的なシステム監視および制御を実行するように構成される。
【０００９】
例示的な実施形態では、制御システム１１２は、風の結果としてハブ１１０を駆動する（図２には図示されない）ブレード１０８のピッチを制御するため、（やはり図２には図示されないＡＣまたはＤＣピッチ駆動モータを少なくとも含む）可変ブレードピッチ駆動システム１１４に制御信号を提供する。例示的な実施形態では、ハブ１１０は、３枚のブレード１０８を受け入れる。一代替実施形態では、ハブ１１０は、任意の枚数のブレードを受け入れるように構成される。例示的な実施形態では、ブレード１０８のピッチは、ブレードピッチ駆動システム１１４によって個別に制御される。
【００１０】
風力タービンのドライブトレインは、ハブ１１０に接続される（「低速シャフト」とも呼ばれる）主ロータシャフト１１６と、ギアボックス１１８とを含み、ギアボックス１１８は、いくつかの構成では、ギアボックス１１８内に閉じ込められた高速シャフトを駆動するためにデュアルパス構造を利用する。（図２には図示されない）高速シャフトは、主フレーム１３２によって担持される第１の発電機１２０を駆動するために使用される。いくつかの構成では、ロータトルクは、軸継手１２２を介して伝達される。第１の発電機１２０は、任意の適切なタイプとすることができ、例えば、巻線形誘導発電機とすることができるが、これに限定されない。非限定的な例としての別の適切なタイプは、ギアボックスを必要としない直接駆動構成において低速シャフトの速度で動作する多極発電機である。
【００１１】
ヨードライブ１２４およびヨーデッキ１２６は、風力タービン１００にヨー方向付けシステムを提供する。いくつかの構成では、ヨー方向付けシステムは、以下で説明されるように、シャフトフランジ変位を測定するために使用されるセンサから受け取った情報に従って、制御システム１１２によって電気的に操作および制御される。フランジ変位測定センサの代わりに、またはそれに加えて、いくつかの構成は、ヨー方向付けシステムに情報を提供するため、風向計１２８を利用する。ヨーシステムは、タワー１０４の頂上に設けられるフランジ上に載せられる。
【００１２】
図３は、例示的な可変ブレードピッチ駆動システム１１４の簡略概略図である。例示的な実施形態では、可変ブレードピッチ駆動システム１１４は、（図１に示される）少なくとも１つのタービンブレード１０８のピッチを調整するために利用され得る駆動モータ１５０を含む。可変ブレードピッチ駆動システム１１４はまた、９０度のブレード角が達成された場合に駆動モータ１５０をオフに切り換える限界スイッチ１５２と、システム電力障害の場合および／またはシステム安全シャットダウンを開始するために駆動電流回路を閉じる切り換えリレー１５４と、複数のバッテリ１６０とを含む。例示的な実施形態では、バッテリ１６０は、一緒に合成された各個別バッテリの出力にほぼ等しい電力出力を供給するため、互いに直列に配線される。したがって、駆動モータ１５０は、電力障害および／または安全シャットダウン開始の際に可変ブレードピッチ駆動システム１１４がブレード１０８の再位置決めを行えるように、切り換えリレー１５４が閉じられている場合、バッテリ１６０から駆動エネルギーを継続的に供給される。
【００１３】
図４は、図３に示されるバッテリ１６０など、複数のバッテリを充電するために利用され得る、例示的な充電システム２００の簡略概略図である。例示的な実施形態では、充電システム２００は、顧客システムに結合される。例えば、例示的な実施形態では、顧客システムは、バッテリ１６０に結合される駆動モータ１５０を含む風力タービン１００である。例示的な実施形態では、顧客システムは、マイクロプロセッサ２０４とメモリ２０６とを含むコンピュータ２０２を少なくとも含む。本明細書では、マイクロプロセッサ２０４は、マイクロコントローラ、プログラマブル論理コントローラ、入力／出力コントローラ、縮小命令セット回路、特定用途向け集積回路、論理回路、および本明細書で説明される実施形態を処理可能なその他の任意の回路、プロセッサ、またはマイクロコンピュータを含む、コントローラおよびプロセッサのことを指す。メモリ２０６は、マイクロプロセッサ２０４の内部または外部に存在することができる。例示的な実施形態では、顧客システムは、コンピュータ２０２に結合されるモニタ２０８も含む。例示的な実施形態では、コンピュータ２０２は、風力タービン１００に外部的に結合され、複数の風力タービン１００、すなわち風力タービンファームから受け取る情報を監視するように構成される。一代替実施形態では、コンピュータ２０２は、風力タービン１００内に結合される。
【００１４】
例示的な実施形態では、充電システム２００は、複数のバッテリ充電器アセンブリ２２０を含み、その各々は、ネットワーク通信リンク２２２に結合される。より具体的には、バッテリ充電器アセンブリ２２０は、通信リンク２２２を利用して、コンピュータ２０２に結合される。例示的な実施形態では、バッテリ充電器アセンブリ２２０は、ＲＳ−２３２シリアルインタフェースなどの有線インタフェースを含む複数の知られたフォーマットのいずれか、または代替として、例えば、４０キロヘルツのテレビリモコン規格またはその他の規格を使用する赤外線（光）とすることができる複数の知られたフォーマットのいずれかを利用して、コンピュータ２０２に結合される。代替として、無線周波インタフェース、ローカルエリアネットワーク（ＬＡＮ）、および／またはインターネットも使用できる。さらに、各バッテリ充電器アセンブリ２２０は、それぞれのバッテリ１６０の充電を容易にするため、それぞれのバッテリ１６０に結合される。例示的な実施形態では、バッテリ１６０は、互いに直列に結合されて、ｎ個（ｎ＝２）のバッテリ１６０を含むバッテリのつながり２３０を形成し、それぞれのバッテリ充電器は、各個別バッテリ１６０に結合される。より具体的には、充電システム２００は、ｎ個のバッテリ１６０と、ｎ個のバッテリ充電器アセンブリ２２０とを含み、各バッテリ１６０は、専用のバッテリ充電器アセンブリ２２０に結合される。例示的な実施形態では、バッテリのつながり２３０は、バッテリの直列つながりであり、すなわち、バッテリ１６０は、直列配列をなして電気的に結合される。別の実施形態では、バッテリのつながり２３０は、バッテリの並列つながりであり、すなわち、バッテリ１６０は、並列配列をなして電気的に結合される。
【００１５】
図５は、図４に示される充電システム２００の一部分の詳細概略図である。例示的な実施形態では、各バッテリ充電器アセンブリ２２０は、入力電力変圧ステージ２５０と、交流（ＡＣ）整流ステージ２５２と、電力出力測定ステージ２５４と、バッテリ試験ステージ２５６とを含む。
【００１６】
例示的な実施形態では、入力電力変圧ステージ２５０は、電力入力２６０と、電力入力２６０に電気的に結合される変圧器２６２とを含む。一実施形態では、変圧器２６２は、変圧器２６２への交流入力がやはり交流として出力されるＡＣ−ＡＣ変圧器である。一実施形態では、変圧器２６２は、逓昇変圧器、逓降変圧器、または絶縁変圧器である。別の実施形態では、変圧器２６２は、直流信号を出力するＡＣ−ＤＣ変圧器である。
【００１７】
例示的な実施形態では、変圧器２６２は、整流ステージ２５２に結合される。整流ステージ２５２は、少なくとも２つのシリコン制御整流器２７０および２７２を含み、その各々は、変圧器２６２のそれぞれの出力に結合され、バッテリ１６０への充電を容易にするため、バッテリ１６０に電流を供給するように構成される。さらに、セクション２５４のための電力が生成され、かつ／またはセクション２７２から別個に引き出されるが、この様子は図５には示されていない。代替として、制御セクション２５４は、独立の変圧器の巻線上にある別個のダイオード整流器／容量性フィルタおよび調整器回路によって給電される。このトポロジは、電力セクションが障害状態にある間、無中断電力を論理回路に供給するために使用される。
【００１８】
例示的な実施形態では、バッテリ試験ステージ２５６も、整流ステージ２５２から電流を受け取るように構成される。より具体的には、バッテリ試験ステージ２５６は、バッテリ試験ステージ２５６が整流ステージ２５２に電気的に結合され、その結果、整流ステージ２５２によって給電されるように、第１のノード３００に結合される。加えて、バッテリ試験ステージ２５６は、第２のノード３０２にも電気的に結合され、第２のノード３０２は、変圧器２６２のニュートラルパスに結合されて、その結果、バッテリ充電器アセンブリ２２０のためのグランドおよび／またはニュートラルとして機能する。より具体的には、各バッテリ１６０は、ノード３００に電気的に結合されるカソード３１０を含み、その結果、整流ステージ２５２がバッテリ試験ステージ２５６およびバッテリカソード３１０の両方に電流を供給するように、バッテリ試験ステージ２５６および整流ステージ２５２と並列に電気的に結合される。各バッテリ１６０は、ノード３０２に電気的に結合されるアノード３１２を含み、その結果、整流ステージ２５２がバッテリ試験ステージ２５６およびバッテリアノード３１２の両方のためのグランドおよび／またはニュートラルとして機能するように、バッテリ試験ステージ２５６および整流ステージ２５２と並列に電気的に結合される。
【００１９】
例示的な実施形態では、バッテリ試験ステージ２５６は、バッテリ１６０が所定の限界内で動作しているかどうか、所定の充電電流を受け取っているかどうか、かつ／または所定の充電を維持しているかどうかを決定するように構成される。例えば、一実施形態では、バッテリ試験ステージ２５６は、バッテリ１６０が所定の電圧を維持しているかどうかを決定するため、所定の時間、カソード３１０とアノード３１２の間に所定の負荷をかけ、その後、カソード３１０とアノード３１２の間の電圧を測定するように構成される。より具体的には、バッテリ試験ステージ２５６は、充電サイクル中および使用中にバッテリ１６０の状態を監視するため、電圧測定回路および／または電流測定回路を含むことができる。その後、バッテリ試験の結果は、バッテリ試験ステージ２５６から通信リンク３２０を介して電力出力測定ステージ２５４に送信され、次に、通信リンク２２２を介してコンピュータ２０２に送信される。
【００２０】
例示的な実施形態では、電力出力測定ステージ２５４は、ＳＣＲ２７０および２７２を操作するための論理制御を、したがってバッテリ１６０を充電するための論理制御を提供するように構成され、診断を実行し、バッテリ１６０の健全性を監視するように構成され、またバッテリ充電器アセンブリ２２０からコンピュータ２０２に、したがってシステム操作者に情報を伝達するように構成される。
【００２１】
より具体的には、電力出力測定ステージ２５４は、電力出力測定ステージ２５４内のマイクロプロセッサ３５０によって実行されるバッテリ充電アルゴリズムを含む。より具体的には、バッテリ１６０への充電を容易にするため、アルゴリズムは、ＳＣＲ２７０および２７２に電気信号を送信して、充電電流が電力入力２６０からバッテリ１６０に送られるように、ＳＣＲ２７０および２７２を開き、かつ／またはＳＣＲ２７０および２７２に電圧を加える。例えば、バッテリ１６０の充電のためのアルゴリズムは、定電流サイクル、定電圧サイクル、および定電流サイクルをこの順番で含む３ステージ充電サイクルを含むことができ、それをより詳細に説明すると、定電流が、充電されるバッテリに与えられ、バッテリ電圧が、マイクロプロセッサ３５０に格納される充電アルゴリズムの一部として格納される指定された電圧閾値に達するまで、それが続く。その時点で、バッテリ充電器は、定電圧源充電器になり、バッテリによって吸収される電流が、やはり充電アルゴリズムの一部として格納される電流閾値に低下するまで、それが続く。その時点で、定電流充電が、第１の電流充電サイクルとは異なる電流レベルで、１つまたは複数のバッテリに施され、所定の時間内におけるバッテリの電圧の変化が、所定の閾値（ｄｖ／ｄｔ）に近付くまで、それが続き、その時点で、充電は停止する。一実施形態では、第３のステージの定電流充電は、バッテリの電圧の変化（ｄｖ／ｄｔ）が、セル当たり０．１ボルト毎時より小さくなるまで続けられ、その時点で、充電は停止する。上で説明された充電アルゴリズムは、より古いバッテリまたは充電が行われている温度を補償する。
【００２２】
さらに、例示的な実施形態では、電力出力測定ステージ２５４は、バッテリが充電サイクルにないとき、バッテリ電圧を監視するように構成される。分流抵抗器の両端の信号は、制御目的で利用される（充電電流、接続ステータスなど）。
【００２３】
例えば、バッテリ電圧が事前プログラムされた閾値より低下したことを電力出力測定ステージ２５４が検出した場合、充電サイクルが自動的に再開される。バッテリは部分的放電状態で保存されるべきではないので、自動再充電はバッテリ寿命を延長する。電力出力測定ステージ２５４の他の実施形態は、充電サイクル中の使用の禁止を含み、使用されたアンペア時の現在高、およびバッテリ電圧が事前プログラムされた電圧より低下した回数の現在高を維持する。充電サイクル中の使用の禁止は、アクティブな充電サイクルが行われていることを知らせる信号を、マイクロプロセッサにフィードバックすることによって達成される。
【００２４】
さらに、例示的な実施形態では、電力出力測定ステージ２５４は、バッテリ充電器アセンブリ２２０内で生成または観測される情報を、通信リンク２２２を介して外部ユーザに送信するように構成される。例えば、通信リンク２２２を介して伝達される情報は、バッテリ充電電圧、バッテリ充電電流、バッテリ充電器温度、使用された総アンペア時、バッテリ電圧が特定の電圧閾値より低下した回数、初期バッテリ充電状態、エラー診断メッセージ、バッテリ充電時間、およびその他のユーザ指定メッセージを含むことができるが、これらに限定されない。
【００２５】
本明細書で説明されたバッテリ充電システムは、複数の個別充電器を含み、各充電器は、ただ１つのバッテリと並列に電気的に結合される。より具体的には、複数のバッテリのつながり（直列または並列配列）の中の各個別バッテリは各々、統合試験および診断能力を有する専用の充電器を与えられる。嵩の大きな（体積、質量）変圧器に対する必要性を失わせることを容易にするため、充電器は、バッテリと組み合わされて集成体をなすことができる。例示的なバッテリ充電器は、入力電力変圧ステージ（ＡＣ−ＡＣまたはＤＣ−ＡＣ）、有効ＡＣ整流ステージ、電力出力測定ステージ、バッテリ監視ステージ、およびバッテリ試験ステージを含む。動作中、各バッテリ充電器は、プログラマブル充電プロフィールに従ってバッテリが充電されるよう十分にカスタマイズ可能なアルゴリズムを含む。
【００２６】
したがって、本明細書で説明されたバッテリ充電システムは、外部の充電平衡回路の必要性を失わせる。さらに、個別充電器は、具体的なバッテリ要件に合わせてカスタマイズされるより高度な充電プロフィールを可能にし、試験および診断の能力も提供するので、充電の平衡は、各バッテリの充電の独立制御を介して達成される。
【００２７】
本明細書で説明された充電システムは、風力タービンに関して描写されたが、本明細書で説明された充電システムは、電気車両、ガス動力車両、自動車、列車、および発電施設などの、ただしそれらに限定されない、多様なシステムにおいて、バッテリを充電するために利用され得ることを理解されたい。
【００２８】
本発明が様々な具体的な実施形態に関して説明されたが、特許請求の範囲の主旨および範囲内の修正を施して本発明が実施され得ることは、当業者であれば理解されよう。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００２９】
【図１】例示的な風力タービンの斜視図である。
【図２】図１に示される例示的な風力タービンの一部分の斜視図である。
【図３】図１に示される風力タービンと共に使用され得る例示的な可変ブレードピッチ駆動システムの簡略概略図である。
【図４】図３に示されるバッテリなどの複数のバッテリを充電するために利用され得る例示的な充電システムの簡略概略図である。
【図５】図４に示される充電システムの一部分の詳細概略図である。
【符号の説明】
【００３０】
１００  風力タービン
１０２  ナセル
１０４  タワー
１０６  ロータアセンブリ
１０８  ブレード
１１０  ハブ
１１２  制御システム
１１４  ブレードピッチ駆動システム
１１６  主ロータシャフト
１１８  ギアボックス
１２０  第１の発電機
１２２  軸継手
１２４  ヨードライブ
１２６  ヨーデッキ
１２８  風向計
１３２  主フレーム
１５０  駆動モータ
１５２  限界スイッチ
１５４  切り換えリレー
１６０  バッテリ
２００  充電システム
２０２  コンピュータ
２０４  マイクロプロセッサ
２０６  メモリ
２０８  モニタ
２２０  バッテリ充電器アセンブリ
２２２  通信リンク
２３０  バッテリ
２５０  入力電力変圧ステージ
２５２  整流ステージ
２５４  電力出力測定ステージ
２５６  バッテリ試験ステージ
２６０  電力入力
２６２  変圧器
２７０  ＳＣＲ
２７２  ＳＣＲ
３００  ノード
３０２  第２のノード
３１０  カソード
３１２  アノード
３２０  通信リンク
３５０  マイクロプロセッサ
【図１】
2007116892.tif 000003
【図２】
2007116892.tif 000004
【図３】
2007116892.tif 000005
【図４】
2007116892.tif 000006
【図５】
2007116892.tif 000007